(57)【要約】【課題】  比較的簡単な構成により、加熱中動作を調理器本体より離れた位置からでも容易に確認し得る様にする事を目的とするものである。【解決手段】  調理器本体１の天面に被調理物１６を載置する天板２を装着すると共に、天板の下方に誘導加熱コイル３，４を配設したものにおいて、天板の適所に、この天板上に載置された被調理物の側面１７に向けて光１８を照射する発光装置１９・・を装着して成るものである。【選択図】        図１
2005183259.tif 000002
【特許請求の範囲】
【請求項１】
調理器本体の天面に被調理物を載置する天板を装着すると共に、上記天板の下方に誘導加熱コイルを配設したものにおいて、上記天板の適所に、この天板上に載置された被調理物の側面に向けて光を照射する発光装置を装着した事を特徴とする電磁調理器。
【請求項２】
上記天板の前端部上に、この天板の上面より上方に突設する天面操作パネルを配設し、この天面操作パネルの前面に操作キーを配設し、かつ上記天面操作パネルの背面に上記発光装置を配設した事を特徴とする、上記請求項１に記載の電磁調理器。
【請求項３】
上記天面操作パネルの断面を略三角形状に構成した事を特徴とする、上記請求項２に記載の電磁調理器。
【請求項４】
上記天板の天面操作パネルと被調理物の載置面との間に、上記誘導加熱コイルの火力等を表示する表示器を配設した事を特徴とする、上記請求項３に記載の電磁調理器。
【発明の詳細な説明】
【技術分野】
【０００１】
本発明は、鍋等の被調理物を載置する天板の下方に配置した誘導加熱コイルに高周波電力を供給することで、被調理物を加熱する電磁調理器に関する。
【背景技術】
【０００２】
調理器本体の天面に耐熱性ガラス等で形成した天板を装着すると共に、この天板の下方に誘導加熱コイルを配置した電磁調理器では、ガスコンロの様に、加熱状態を燃焼炎で確認できないという問題があり、例えば特許文献１に示される様に、誘導加熱コイルに通電して加熱調理中には、天板の調理容器の周囲部分を発光させて、目視により加熱状態が確実に確認できる様にする発光手段を設けたものがある。
【特許文献１】特開２００１−１６０４８３号公報
【発明の開示】
【発明が解決しようとする課題】
【０００３】
一方、上記特許文献１に記載の発光手段では、誘導加熱コイルの下方や、誘導加熱コイルの周囲に、発光手段を構成する導光部材やランプ等を配置する必要があるが、近年、天板の手前部分に液晶表示器や入力用の操作パネルを配置するケースが多く、その場合、主に上記導光部材を配置するスペースの確保が難しいという問題がある。
【０００４】
そこで本発明は、比較的簡単な構成にて、目視により加熱状態が確認できる発光装置を提供する事を目的とする。
【課題を解決するための手段】
【０００５】
本発明の請求項１の構成は、調理器本体の天面に被調理物を載置する天板を装着すると共に、天板の下方に誘導加熱コイルを配設したものにおいて、天板の適所に、この天板上に載置された被調理物の側面に向けて光を照射する発光装置を装着して成るものである。
【０００６】
本発明の請求項２の構成は、請求項１の構成において、天板の前端部上に、この天板の上面より上方に突設する天面操作パネルを配設し、この天面操作パネルの前面に操作キーを配設し、かつ天面操作パネルの背面に発光装置を配設したものである。
【０００７】
本発明の請求項３の構成は、請求項２の構成において、天面操作パネルの断面を略三角形状に構成したものである。
【０００８】
本発明の請求項４の構成は、請求項３の構成において、天板の天面操作パネルと被調理物の載置面との間に、誘導加熱コイルの火力等を表示する表示器を配設したものである。
【発明の効果】
【０００９】
本発明の請求項１に記載の構成により、被調理物の側面に向けて発光する発光装置を設けるという、比較的簡単な構成にて加熱動作を目視により確認する事ができ、発光装置のコストダウンを計る事が出来るものである。
【００１０】
本発明の請求項２に記載の構成により、天板の前端部に天面操作パネルを突設し、この天面操作パネルの前面に操作キー、背面に発光装置を各々配置したことで、天板の前端部スペースを有効利用して、操作キーや発光装置を効率的に配置する事が出来るものである。
【００１１】
本発明の請求項３に記載の構成により、天面操作パネルを断面略三角形状に構成したことで、天面操作パネルの前面斜面に操作キーを配置して操作キーの操作性を向上出来ると共に、天面操作パネルの背面を傾斜面に構成することで、例えば天面操作パネル後方の天板に表示器を配置した場合、この表示器の視認性を維持する事が出来るものである。
【００１２】
本発明の請求項４に記載の構成により、天板の天面操作パネルと被調理物の載置面との間に表示器を配設することで、天板のスペースを有効利用して表示器を装着する事が出来るものである。
【発明を実施するための最良の形態】
【００１３】
本発明による実施例を先ず図１に基づき説明すると、１は例えばシステムキッチン等にドロップイン方式にて組み込まれて使用される電磁調理器本体で、天面に耐熱ガラス製の天板２を装着していると共に、この天板の下方内部に熱源となる左右一対の誘導加熱コイル３，４とラジエントヒータ５を内蔵している。
【００１４】
一方、上記電磁調理器本体１内の前面右側には前面操作パネル６を配設していると共に、この前面操作パネルの左側にはグリル７用のグリル扉８を引き出し自在に配設し、かつ、上記前面操作パネル６には、電源スイッチ９や複数の操作キー１０・・を配置している。
【００１５】
又、上記天板２の前端部上には、図２にても示す様に、天板２の横幅略全体に断面形状が略三角形状の天面操作パネル１１を装着していると共に、この天面操作パネルの前面１２には、液晶パネル等により構成した複数の表示器１３，１３と、複数の操作キー１４・・を配置している。
【００１６】
更に、上記天面操作パネル１１の背面１５には、上記天板２の誘導加熱コイル３，４上方に載置された鍋等の被調理物１６の前側面１７に向けて赤色等の着色光１８・・を照射する複数のランプ１９・・を配設し、これらランプにて発光装置を構成している。
【００１７】
尚、上記ランプ１９・・は、天面操作パネル１１の内部に配設した回路基板２０に装着され、例えば高輝度のＬＥＤランプやハロゲンランプ等で構成し、これらランプ１９・・を多色発光タイプに構成しても良いし、ランプに対向して天面操作パネル１１の背面１５に装着した透光性のカバー２１に着色フィルムを用いても良い。
【００１８】
一方、上記ランプ１９・・は、前面操作パネル６や天面操作パネル１１による操作により、誘導加熱コイル３，４に所定の高周波電力を供給して加熱調理を開始すると点灯し、着色光１８・・を被調理物１６の前側面に照射するもので、これにより、着色光１８・・が被調理物１６の前側面１７に映って反射し、電磁調理器本体１より離れた位置でも調理動作を容易に確認できるものである。
【００１９】
又、上記天板２の天面操作パネル１１後方には、誘導加熱コイル３，４の設定火力等を点灯数で表示するレベル表示器２２，２２を配置しており、この構成により、天板２のスペースを有効利用してレベル表示器２２，２２を配置する事が出来ると共に、上記天面操作パネル１１の前面１２にレベル表示器２２，２２を配置する場合に比較し、天面操作パネル１１を小型化出来る。
【００２０】
更に、上記天面操作パネル１１の断面形状を略三角形状に構成して、操作パネルの前背面を傾斜面に構成したことで、天面操作パネル１１がレベル表示器２２，２２の目視に際し障害にならないと共に、表示器１３，１３の視認性と操作キー１４・・の操作性を向上する事が出来る。
【００２１】
上記実施例では天面操作パネル１１を断面が略三角形状に構成して天板２より大きく上方に突出しているが、これに限定されることなく、天面操作パネル１１をランプ１９・・のみ収納するカバーで構成しても良いし、天板２の周縁を被覆する枠体２３の適所に収納しても良い。
【００２２】
尚、上記実施例では誘導加熱コイル３，４への通電時にランプ１９・・を全て点灯する様に構成しているが、上記ランプ１９・・の発光数をレベル表示器２２，２２の発光数と連動させて、ランプ１９・・の点灯数にても誘導加熱コイル３，４の火力や設定火力を表示する様に構成しても良い。
【００２３】
又、上記実施例では天面操作パネル１１の前面１２に表示器１３，１３や操作キー１４・・を配置し、天面操作パネル１１をランプ１９・・の収納ケースに兼用することで、ランプの配置スペースを確保する様に構成しているが、天面操作パネル１１をランプ１９・・の収納専用としても良く、かつ前面１２には、表示器１３，１３又は操作キー１４・・のみ配置する様に構成しても良い。
【００２４】
而して、天板２に被調理物１６を載せた後、誘導加熱コイル３，４に通電して加熱調理を開始すると、ランプ１９・・に通電して発光し、その着色光１８・・を被調理物１６の前側面１７に照射することで、この照射した着色光１８・・が反射し、電磁調理器本体１より離れた位置でも加熱動作を容易に確認する事が出来るものである。
【図面の簡単な説明】
【００２５】
【図１】本発明の実施例を示す斜視図である。
【図２】同じく要部の側面縦断面図である。
【符号の説明】
【００２６】
１    調理器本体
２    天板
３    誘導加熱コイル
４    誘導加熱コイル
１１  天面操作パネル
１６  被調理物
１７  前側面
１８  着色光
１９  ランプ（発光装置）
２２  レベル表示器（表示器）
【図１】
2005183259.tif 000003
【図２】
2005183259.tif 000004